(57)【特許請求の範囲】
【請求項１】
印刷媒体に印刷されるキャラクタを表示する第１表示手段と、
前記第１表示手段によって表示された前記キャラクタが印刷される場合の設定に関する情報であって、複数の設定項目をそれぞれ特定可能な複数のアイコンを表示する第２表示手段と、
前記複数の設定項目のうち何れかである対象設定項目の設定内容を設定するための設定ウィンドウを、前記第２表示手段によって表示された前記複数のアイコンのうち前記対象設定項目を特定可能な対象アイコンに対応付けて表示する第３表示手段と、
設定内容を受け付ける受付手段と、
前記受付手段によって受け付けられた前記設定内容を、前記対象設定項目の設定内容として設定する設定手段と
を備え、
前記設定ウィンドウには、前記対象設定項目の選択を行うための可能な第２選択画面が少なくとも含まれており、
前記第３表示手段は、
前記第２選択画面を介して選択された前記対象設定項目の設定内容を設定するための前記設定ウィンドウを表示することを特徴とする表示装置。
【請求項２】
前記第３表示手段は、
前記設定ウィンドウのうち前記対象アイコンとの対応関係を示す対応部分と、前記対象アイコンとの間の距離が、前記複数のアイコンのうち前記対象アイコンを除くアイコンと前記対応部分との間の距離よりも短くなる位置に、前記設定ウィンドウを表示することを特徴とする請求項１に記載の表示装置。
【請求項３】
前記設定ウィンドウには、前記対象設定項目の設定内容として設定可能な複数の候補である複数の設定候補の選択を行うための第１選択画面が少なくとも含まれており、
前記受付手段は、
前記第１選択画面を介して選択された前記複数の設定候補のうち何れかを、前記設定内容として受け付けることを特徴とする請求項１又は２に記載の表示装置。
【請求項４】
前記アイコンは、対応する前記設定項目の設定内容を示すことを特徴とする請求項１から３の何れかに記載の表示装置。
【請求項５】
前記設定ウィンドウは、前記対象アイコンに対応付けられた吹き出し状に表示されることを特徴とする請求項１から４の何れかに記載の表示装置。
【請求項６】
前記第３表示手段は、
前記設定ウィンドウと前記対象アイコンとを結ぶ線分を更に表示することを特徴とする請求項１から４の何れかに記載の表示装置。
【請求項７】
前記第３表示手段は、
前記対象アイコンをハイライト表示することを特徴とする請求項１から６の何れかに記載の表示装置。
【請求項８】
請求項１から７の何れかに記載の前記表示装置と、
前記印刷媒体を装着する装着部と、
前記第１表示手段によって表示された前記キャラクタを、前記複数の設定項目のそれぞれの設定内容に基づいて、前記装着部に装着された前記印刷媒体に印刷することが可能な印刷部と
を備えたことを特徴とする印刷装置。
【請求項９】
前記装着部に装着された前記印刷媒体の種別を判定する第１判定手段と、
前記第１判定手段によって判定された前記種別、及び、前記受付手段によって受け付けられた前記設定内容に基づいて、前記印刷部によって印刷を行うことが可能か判定する第２判定手段と、
前記第２判定手段によって、前記印刷部による印刷が不可能と判定された場合、ユーザに通知する通知手段と
を備えたことを特徴とする請求項８に記載の印刷装置。
【請求項１０】
前記装着部に装着された前記印刷媒体の種別を判定する第１判定手段と、
前記第１判定手段によって判定された前記種別、及び、前記複数の設定項目のそれぞれの設定内容に基づいて、前記印刷部によって印刷を行うことが可能か判定する第３判定手段と、
前記第３判定手段によって、前記印刷部による印刷が不可能と判定された場合、前記第２表示手段によって表示された前記複数のアイコンのうち、印刷が不可能な設定内容に対応する設定項目を特定可能なアイコンを、他のアイコンと区別して表示させる第４表示手段と
を備えたことを特徴とする請求項８に記載の印刷装置。
【請求項１１】
表示装置であって、
印刷媒体に印刷されるキャラクタを表示する第１表示手段と、
前記第１表示手段によって表示された前記キャラクタが印刷される場合の設定に関する情報であって、複数の設定項目をそれぞれ特定可能な複数のアイコンを表示する第２表示手段と、
前記複数の設定項目のうち何れかである対象設定項目の設定内容を設定するための設定ウィンドウを、前記第２表示手段によって表示された前記複数のアイコンのうち前記対象設定項目を特定可能な対象アイコンに対応付けて表示する第３表示手段と、
設定内容を受け付ける受付手段と、
前記受付手段によって受け付けられた前記設定内容を、前記対象設定項目の設定内容として設定する設定手段と
を有する前記表示装置と、
前記印刷媒体を装着する装着部と、
前記第１表示手段によって表示された前記キャラクタを、前記複数の設定項目のそれぞれの設定内容に基づいて、前記装着部に装着された前記印刷媒体に印刷することが可能な印刷部と、
前記装着部に装着された前記印刷媒体の種別を判定する第１判定手段と、
前記第１判定手段によって判定された前記種別、及び、前記複数の設定項目のそれぞれの設定内容に基づいて、前記印刷部によって印刷を行うことが可能か判定する第３判定手段と、
前記第３判定手段によって、前記印刷部による印刷が不可能と判定された場合、前記第２表示手段によって表示された前記複数のアイコンのうち、印刷が不可能な設定内容に対応する設定項目を特定可能なアイコンを、他のアイコンと区別して表示させる第４表示手段と
を備えたことを特徴とする印刷装置。
【発明の詳細な説明】
【技術分野】
【０００１】
本発明は、印刷媒体に印刷されるキャラクタを表示する表示装置、及び、表示装置を備えた印刷装置に関する。
【背景技術】
【０００２】
印刷媒体に印刷されるキャラクタを表示装置に表示することによって、ユーザによるキャラクタの編集を可能とする印刷装置が知られている。又、このような印刷装置において、印刷時の設定をキャラクタと同時に表示装置に表示する機能が知られている。
【０００３】
例えば、特許文献１は、ドット表示部を有し且つ属性インジケータを表示可能な液晶ディスプレイを有するテープ印刷システムを開示する。ドット表示部には、文字列、行番号、印刷イメージ等が表示される。属性インジケータは、印刷時における複数の設定項目のそれぞれの設定内容を示す。複数の設定項目として、文字サイズ、書体、段落スタイル等がある。例えば書体の設定内容として、明朝体、ゴシック体等がある。又、テープ印刷システムにおいて、所定のキーが押下された場合、このキーに対応する設定項目（以下、「対象設定項目」という。）の設定内容を選択する選択画面が表示される。選択画面では、対象設定項目の複数の設定内容の候補が表示される。ユーザは、複数の設定内容の候補のうち何れかを選択する操作を行うことによって、対象設定項目の設定内容を設定できる。
【先行技術文献】
【特許文献】
【０００４】
【特許文献１】特開２００８−１６２２３６号公報
【発明の概要】
【発明が解決しようとする課題】
【０００５】
上記テープ印刷システムの場合、属性インジケータによって示される設定項目と、選択画面によって設定内容を選択可能な対象設定項目との対応関係が認識し難いという問題がある。
【０００６】
本発明の目的は、設定内容の設定を行うための表示と、対応する設定項目との対応関係を、ユーザが認識しやすいように表示する表示装置、及び、この表示装置を備えた印刷装置を提供することである。
【課題を解決するための手段】
【０００７】
本発明の第１態様に係る表示装置は、印刷媒体に印刷されるキャラクタを表示する第１表示手段と、前記第１表示手段によって表示された前記キャラクタが印刷される場合の設定に関する情報であって、複数の設定項目をそれぞれ特定可能な複数のアイコンを表示する第２表示手段と、前記複数の設定項目のうち何れかである対象設定項目の設定内容を設定するための設定ウィンドウを、前記第２表示手段によって表示された前記複数のアイコンのうち前記対象設定項目を特定可能な対象アイコンに対応付けて表示する第３表示手段と、設定内容を受け付ける受付手段と、前記受付手段によって受け付けられた前記設定内容を、前記対象設定項目の設定内容として設定する設定手段とを備え、前記設定ウィンドウには、前記対象設定項目の選択を行うための可能な第２選択画面が少なくとも含まれており、前記第３表示手段は、前記第２選択画面を介して選択された前記対象設定項目の設定内容を設定するための前記設定ウィンドウを表示することを特徴とする。
【０００８】
第１態様に係る表示装置は、印刷対象のキャラクタと複数のアイコンとを表示する。各々のアイコンは、設定項目を特定可能である。又、表示装置は、対象設定項目の設定内容を設定するための設定ウィンドウを表示する。このとき、設定ウィンドウは対象アイコンに対応付けて表示される。表示装置は、設定内容が受け付けられた場合、受け付けられた設定内容を、対象設定項目の設定内容として設定する。このため、ユーザは、対象設定項目の設定内容を、設定ウィンドウを介して設定する場合、設定ウィンドウと対象アイコンとを容易に対応付けて認識できる。又、ユーザは、第２選択画面を介して、設定ウィンドウによって設定される対象設定項目を変更できる。
【０００９】
第１態様において、前記第３表示手段は、前記設定ウィンドウのうち前記対象アイコンとの対応関係を示す対応部分と、前記対象アイコンとの間の距離が、前記複数のアイコンのうち前記対象アイコンを除くアイコンと前記対応部分との間の距離よりも短くなる位置に、前記設定ウィンドウを表示してもよい。この場合、ユーザは、設定ウィンドウと対象アイコンとを直感的に対応付けて認識できる。
【００１０】
第１態様において、前記設定ウィンドウには、前記対象設定項目の設定内容として設定可能な複数の候補である複数の設定候補の選択を行うための第１選択画面が少なくとも含まれており、前記受付手段は、前記第１選択画面を介して選択された前記複数の設定候補のうち何れかを、前記設定内容として受け付けてもよい。この場合、ユーザは、第１選択画面を介して複数の設定候補のうち何れかを選択することによって、設定可能な設定内容を適切に選択し、対象設定項目の設定内容として設定できる。
【００１１】
【００１２】
第１態様において、前記アイコンは、対応する前記設定項目の設定内容を示してもよい。この場合、ユーザは、複数の設定項目のそれぞれの設定内容を、複数のアイコンによって容易に認識できる。
【００１３】
第１態様において、前記設定ウィンドウは、前記対象アイコンに対応付けられた吹き出し状に表示されてもよい。又、第１態様において、前記第３表示手段は、前記設定ウィンドウと前記対象アイコンとを結ぶ線分を更に表示してもよい。又、第１態様において、前記第３表示手段は、前記対象アイコンをハイライト表示してもよい。これらの場合、ユーザは、設定ウィンドウと対象アイコンとの対応関係を一見して容易に認識できる。
【００１４】
本発明の第２態様に係る印刷装置は、第１態様に係る前記表示装置と、前記印刷媒体を装着する装着部と、前記第１表示手段によって表示された前記キャラクタを、前記複数の設定項目のそれぞれの設定内容に基づいて、前記装着部に装着された前記印刷媒体に印刷することが可能な印刷部とを備えたことを特徴とする。第２態様によれば、第１態様と同様の効果を奏することができる。又、印刷装置は、設定ウィンドウを介して設定された設定内容に基づいて、キャラクタを印刷媒体に印刷できる。
【００１５】
第２態様において、前記装着部に装着された前記印刷媒体の種別を判定する第１判定手段と、前記第１判定手段によって判定された前記種別、及び、前記受付手段によって受け付けられた前記設定内容に基づいて、前記印刷部によって印刷を行うことが可能か判定する第２判定手段と、前記第２判定手段によって、前記印刷部による印刷が不可能と判定された場合、ユーザに通知する通知手段とを備えてもよい。印刷装置は、装着された印刷媒体が用いられた場合において、受け付けられた設定内容に基づいてキャラクタの印刷を行うことができない場合、ユーザに通知する。このため、ユーザは、設定した設定内容が不適切であることを認識できる。
【００１６】
第２態様において、前記装着部に装着された前記印刷媒体の種別を判定する第１判定手段と、前記第１判定手段によって判定された前記種別、及び、前記複数の設定項目のそれぞれの設定内容に基づいて、前記印刷部によって印刷を行うことが可能か判定する第３判定手段と、前記第３判定手段によって、前記印刷部による印刷が不可能と判定された場合、前記第２表示手段によって表示された前記複数のアイコンのうち、印刷が不可能な設定内容に対応する設定項目を特定可能なアイコンを、他のアイコンと区別して表示させる第４表示手段とを備えてもよい。印刷装置は、装着された印刷媒体が用いられた場合に印刷が不可能な設定内容に対応するアイコンを、他のアイコンと区別して表示させる。このため、ユーザは、印刷が不可能な設定内容を認識できる。
本発明の第３態様に係る印刷装置は、表示装置であって、印刷媒体に印刷されるキャラクタを表示する第１表示手段と、前記第１表示手段によって表示された前記キャラクタが印刷される場合の設定に関する情報であって、複数の設定項目をそれぞれ特定可能な複数のアイコンを表示する第２表示手段と、前記複数の設定項目のうち何れかである対象設定項目の設定内容を設定するための設定ウィンドウを、前記第２表示手段によって表示された前記複数のアイコンのうち前記対象設定項目を特定可能な対象アイコンに対応付けて表示する第３表示手段と、設定内容を受け付ける受付手段と、前記受付手段によって受け付けられた前記設定内容を、前記対象設定項目の設定内容として設定する設定手段とを有する前記表示装置と、前記印刷媒体を装着する装着部と、前記第１表示手段によって表示された前記キャラクタを、前記複数の設定項目のそれぞれの設定内容に基づいて、前記装着部に装着された前記印刷媒体に印刷することが可能な印刷部と、前記装着部に装着された前記印刷媒体の種別を判定する第１判定手段と、前記第１判定手段によって判定された前記種別、及び、前記複数の設定項目のそれぞれの設定内容に基づいて、前記印刷部によって印刷を行うことが可能か判定する第３判定手段と、前記第３判定手段によって、前記印刷部による印刷が不可能と判定された場合、前記第２表示手段によって表示された前記複数のアイコンのうち、印刷が不可能な設定内容に対応する設定項目を特定可能なアイコンを、他のアイコンと区別して表示させる第４表示手段とを備えたことを特徴とする。
【図面の簡単な説明】
【００１７】
【図１】印刷装置１の斜視図である。
【図２】印刷装置１の電気的構成を示すブロック図である。
【図３】メイン処理のフローチャートである。
【図４】編集画面８の一例を示す図である。
【図５】編集画面８の一例を示す図である。
【図６】編集画面８の一例を示す図である。
【図７】設定処理のフローチャートである。
【図８】編集画面８及び設定ウィンドウ９の一例を示す図である。
【図９】編集画面８及び設定ウィンドウ９の一例を示す図である。
【図１０】編集画面８及び設定ウィンドウ９の一例を示す図である。
【図１１】変形例における編集画面８及び設定ウィンドウ９の一例を示す図である。
【図１２】変形例における編集画面８及び設定ウィンドウ９の一例を示す図である。
【図１３】変形例における編集画面８及び設定ウィンドウ９の一例を示す図である。
【発明を実施するための形態】
【００１８】
以下、本発明の実施形態について、図面を参照して説明する。なお、以下の説明において、図１の上側、下側、左斜め下側、右斜め上側、左斜め上側、及び、右斜め下側を、それぞれ、印刷装置１の上側、下側、前側、後側、左側、及び右側とする。
【００１９】
＜印刷装置１の概要＞
図１に示すように、印刷装置１は、印刷媒体に複数のドットを形成させて印刷を行い、ラベルを作成することが可能な装置である。印刷装置１の上面には、キャラクタ（文字、記号、数字等）を入力するためのキャラクタキー５１が設けられている。キャラクタキー５１の後側（紙面右上側）には、電源キー、印刷キー、設定キー、矢印キー、確定キー、及び、キャンセルキー等の機能キー群５２が設けられている。以下の説明では、キャラクタキー５１と機能キー群５２とを総称する場合、キーボード５という。機能キー群５２の後側には、表示部４が設けられている。印刷装置１の上面の後部には、開閉可能なカバー１１が設けられている。印刷装置１の左後角には、カッタによって切断された印刷済テープを受けるテープトレイ１２が設けられている。
【００２０】
表示部４の後側には、テープカセット３０が着脱されるカセット装着部１３が形成されている。印刷装置１では、カセット装着部１３に装着されたテープカセット３０を用いて、キャラクタキー５１を介して入力されたキャラクタの印刷が実行される。カセット装着部１３には、装着されたテープカセット３０の種別を判定するためのセンサ６（図２参照）が設けられる。テープカセット３０の種別は、例えば、収容されるテープの幅（「３６ｍｍ」「２４ｍｍ」「１８ｍｍ」「１２ｍｍ」「９ｍｍ」「６ｍｍ」の何れか）、及び、テープの色（「透明」「白」「赤」「青」「黄」「緑」の何れか）毎に異なる。カバー１１は、カセット装着部１３の後側に設けられる。カバー１１は開閉可能である。カバー１１は、閉じた状態でテープカセット３０を覆う。ユーザは、カバー１１を開いた状態で、テープカセット３０を交換可能である。テープカセット３０には、インクリボンロール、基材テープロール、及び、カバーフィルムロールが収容される。
【００２１】
印刷装置１は、テープカセット３０のインクリボンロール、基材テープロール、及び、カバーフィルムロールのそれぞれから、インクリボン、基材テープ、及び、カバーフィルム（総称して「テープ」という。）を引き出す。印刷装置１は、サーマルヘッド１０（図２参照）によってインクリボンを加熱し、カバーフィルムに印刷を行う。印刷装置１は、印刷されたカバーフィルムに基材テープを貼付する。以上によって印刷装置１は、印刷されたカバーフィルム及び基材テープが貼付されたラベルを作成する。
【００２２】
＜印刷装置１の電気的構成＞
図２を参照し、印刷装置１の電気的構成について説明する。印刷装置１は制御回路４００を備える。制御回路４００は、印刷装置１内に固定された制御基板上に形成される。制御回路４００は、ＣＰＵ４０１、ＲＯＭ４０２、ＥＥＰＲＯＭ４０３、ＲＡＭ４０４、フラッシュメモリ４０５、及び、入出力インタフェイス４１０を含む。ＣＰＵ４０１、ＲＯＭ４０２、ＥＥＰＲＯＭ４０３、ＲＡＭ４０４、フラッシュメモリ４０５、及び、入出力インタフェイス４１０は、バス４１４を介して電気的に接続する。
【００２３】
ＣＰＵ４０１は、印刷装置１全体を制御する。ＲＯＭ４０２には、ＣＰＵ４０１が実行可能なメイン処理（図３参照）のプログラムを記憶する。ＣＰＵ４０１は、ＲＯＭ４０２に記憶されたプログラムに基づいて各種演算を行う。ＥＥＰＲＯＭ４０３には、文字、記号、数字、及び、バーコード等を印刷するための印刷用ドットパターンデータが、書式やサイズ毎に分類され、コードデータに対応させて記憶されている。ＲＡＭ４０４には、一時的なデータが記憶される。フラッシュメモリ４０５には、後述する設定情報、候補情報、印刷可否情報、及び、印刷データが記憶される。
【００２４】
設定情報は、表示部４に表示されたキャラクタが印刷される場合の設定条件を示す。設定情報では、複数の設定項目毎に設定内容が規定される。各設定項目として、「書体」「サイズ」「装飾」「字揃え」「文字幅」「文字間」「下線」がある。
【００２５】
候補情報では、各設定項目の設定内容として取り得る複数の候補（以下、「複数の設定候補」という。）が、設定項目毎に規定される。具体的には、次の通りである。設定項目「書体」に対応する複数の設定候補として、「Ｈｅｌｓｉｎｋｉ」「明朝」が規定される。設定項目「サイズ」に対応する複数の設定候補として、「自動」「７ｐｔ」「９ｐｔ」「１２ｐｔ」「１８ｐｔ」「２４ｐｔ」「３６ｐｔ」「４８ｐｔ」が規定される。設定項目「装飾」に対応する複数の設定候補として、「標準」「太字」「袋文字」「影付き」「立体」「斜体」が規定される。設定項目「字揃え」に対応する複数の設定候補として、「左揃え」「中央揃え」「右揃え」「均等」が規定される。設定項目「文字幅」に対応する複数の設定候補として、「×１」「×３／２」「×１／２」「×２／３」が規定される。設定項目「文字間」に対応する複数の設定候補として、「普通」「狭い」が規定される。設定項目「下線」に対応する複数の設定候補として、「なし」「下線」「取消線」が規定される。なお、設定情報では、各設定項目の設定内容として、対応する複数の設定候補のうち何れかが規定される。
【００２６】
印刷可否情報では、印刷の実行が可能な設定内容の条件（以下、「印刷可能条件」という。）が、テープの種別毎に規定される。例えば、「３６ｍｍ」幅のテープに対応する設定項目「サイズ」の印刷可能条件として、「７ｐｔ」〜「４８ｐｔ」が規定される。「６ｍｍ」幅のテープに対応する設定項目「サイズ」の印刷可能条件として、「７ｐｔ」〜「１２ｐｔ」が規定される。
【００２７】
印刷データは、表示部４に表示されたキャラクタを、設定情報に基づいた態様で印刷するために必要となるデータである。ＣＰＵ４０１は、後述する駆動回路４０７、４０８を、印刷データに基づいて駆動する。これによって、印刷装置１は、表示部４に表示されたキャラクタを、設定情報に基づいた態様で印刷できる。
【００２８】
入出力インタフェイス４１０には、キーボード５、センサ６、駆動回路４０６、４０７、４０８、及び、外部インタフェイス４０９が接続される。駆動回路４０６は、表示部４に画像を表示させるためのビデオＲＡＭ（図示外）を有し、表示部４の表示制御を行う。キーボード５は、押下されたキーの種別を示す信号を、入出力インタフェイス４１０に出力する。駆動回路４０７は、サーマルヘッド１０の発熱素子を通電させる。駆動回路４０８は、モータ２３１、２４１を回転駆動する。モータ２３１はプラテンローラ２３に接続する。プラテンローラ２３は、モータ２３１が回転駆動することに応じて、カバーフィルム及びインクリボンをサーマルヘッド１０に押し当てながら回転する。モータ２４１は押圧ローラ２４に接続する。押圧ローラ２４は、モータ２４１が回転駆動することに応じて、印刷されたカバーフィルムに基材テープを押し当てながら回転する。外部インタフェイス４０９は、外部機器７と通信を行うための通信ＩＣである。外部機器７は、汎用のＰＣである。
【００２９】
＜メイン処理＞
図３から図１０を参照し、メイン処理について説明する。メイン処理は、キーボード５の電源キーを押下する操作が行われた場合、ＲＯＭ４０２に記憶されたプログラムをＣＰＵ４０１が実行することによって開始される。ＣＰＵ４０１は、カセット装着部１３に装着されたテープカセット３０の種別を、センサ６を介して判定する。ＣＰＵ４０１は、判定されたテープカセット３０の種別に基づき、テープの種別を更に判定する（Ｓ１１）。
【００３０】
ＣＰＵ４０１は、編集画面８（図４参照）を表示部４に表示させる（Ｓ１５）。図４に示すように、編集画面８は、仕切り線８０で区画された２つの領域を含む。仕切り線８０よりも下側の領域を、「編集領域８Ａ」という。仕切り線８０よりも上側の領域を、「ガイダンス領域８Ｂ」という。編集領域８Ａには、テープを模擬した矩形状のテープ画像８１が表示される。なお、詳細は後述するが、テープ画像８１の内側には、キャラクタキー５１を押下することによってキャラクタを入力する操作が実行された場合に、キャラクタ８２が表示される。従って、Ｓ１５の処理時点では、図４と異なり、テープ画像８１の内部にキャラクタ８２は表示されない。
【００３１】
ＣＰＵ４０１は、フラッシュメモリ４０５に記憶された設定情報に基づき、ガイダンス領域８Ｂにアイコン８３Ａ〜８３Ｄ（図４参照、以下、総称して「複数のアイコン８３」ともいう。）を更に表示させる。複数のアイコン８３は、設定情報における複数の設定項目のうち一部についての設定内容を抽象化して示した絵柄である。具体的には次の通りである。アイコン８３Ａは、設定項目「書体」の設定内容が「Ｈｅｌｓｉｎｋｉ」であることを示す。アイコン８３Ｂは、設定項目「サイズ」の設定内容が「１８ｐｔ」であることを示す。アイコン８３Ｃは、設定項目「装飾」の設定内容が「太字」であることを示す。アイコン８３Ｄは、設定項目「字揃え」の設定内容が「左揃え」であることを示す。なお、設定項目「文字幅」「文字間」「下線」の設定内容に対応するアイコンは表示されない。以下、設定項目の設定内容を示すアイコン８３を、「設定項目に対応するアイコン８３」と言い換える。
【００３２】
ＣＰＵ４０１は、Ｓ１１（図３参照）の処理によって判定された種別のテープのテープ幅を特定する。ＣＰＵ４０１は、特定されたテープ幅を示す文字列（例えば、「３０ｍｍ」）で示されるテープ幅８４を、複数のアイコン８３の右側に表示する。
【００３３】
図３に示すように、ＣＰＵ４０１は、Ｓ１１の処理によって判定された種別のテープに対する印刷が可能な印刷可能条件を、フラッシュメモリ４０５に記憶された印刷可否情報に基づいて特定する。ＣＰＵ４０１は、フラッシュメモリ４０５に記憶された設定情報によって示される複数の設定内容が印刷可能条件を満たすか否かによって、印刷を行うことが可能か判定する（Ｓ１７）。ＣＰＵ４０１は、設定情報によって示される複数の設定内容が、何れも印刷可能条件を満たす場合、設定情報に基づいて印刷を行うことが可能と判定する（Ｓ１７：ＹＥＳ）。この場合、ＣＰＵ４０１は処理をＳ２１に進める。一方、ＣＰＵ４０１は、設定情報によって示される複数の設定内容の少なくとも１つが印刷可能条件を満たさない場合、設定情報に基づいて印刷を行うことが不可能と判定する（Ｓ１７：ＮＯ）。この場合、ＣＰＵ４０１は、印刷可能条件を満たさないと判定された設定内容に対応するアイコン８３を、点滅表示させる（Ｓ１９）。ＣＰＵ４０１は、処理をＳ２１に進める。
【００３４】
例えば、印刷可否情報において、「６ｍｍ」幅のテープに対応する設定項目「サイズ」の印刷可能条件として、「７ｐｔ」〜「１２ｐｔ」が規定されていたとする。又、Ｓ１１の処理によって「６ｍｍ」幅のテープが判定されたとする。又、フラッシュメモリ４０５に記憶された設定情報において、設定項目「サイズ」の設定内容として「１８ｐｔ」が規定されていたとする。この場合、設定項目「サイズ」の設定内容「１８ｐｔ」が印刷可能条件（「７ｐｔ」〜「１２ｐｔ」）を満たしていないと判定される（Ｓ１７：ＮＯ）。この場合、図５に示すように、設定項目「サイズ」の設定内容「１８ｐｔ」を示すアイコン８３Ｂが点滅される（Ｓ１９）。
【００３５】
図３に示すように、ＣＰＵ４０１は、キーボード５のキャラクタキー５１が押下されることによってキャラクタを入力する操作が実行されたか判定する（Ｓ２１）。ＣＰＵ４０１は、キャラクタを入力する操作が実行されたと判定された場合（Ｓ２１：ＹＥＳ）、処理をＳ２３に進める。ＣＰＵ４０１は、入力されたキャラクタを示す文字列を、キャラクタ８２（図４参照）として、編集画面８のテープ画像８１（図４参照）の内側に表示させる（Ｓ２３）。ＣＰＵ４０１は、入力されたキャラクタを示す情報を、ＲＡＭ４０４に記憶する。ＣＰＵ４０１は、処理をＳ２１に戻す。例えば、図４の場合、「Ｂｒｏｔｈｅｒ」のキャラクタが入力されたことに応じ、テープ画像８１の内側に、入力されたキャラクタを示す文字列がキャラクタ８２として表示されている。
【００３６】
図３に示すように、ＣＰＵ４０１は、キャラクタを入力する操作が実行されていないと判定された場合（Ｓ２１：ＮＯ）、処理をＳ２５に進める。ＣＰＵ４０１は、キーボード５の印刷キーが押下されることによって印刷を指示する操作が実行されたか判定する（Ｓ２５）。ＣＰＵ４０１は、印刷を指示する操作が実行されたと判定された場合（Ｓ２５：ＹＥＳ）、処理をＳ２７に進める。
【００３７】
ＣＰＵ４０１は、以下の２つの条件を満たすか否かに応じて、指示に基づいて印刷を行うことが可能か判定する。
（１）入力されたキャラクタの情報がＲＡＭ４０４に記憶されている。
（２）設定情報が印刷可能条件を満たしている。
なお、（２）の条件について、ＣＰＵ４０１は、Ｓ１７の処理と略同一の処理を実行することによって判断する。具体的には次の通りである。ＣＰＵ４０１は、Ｓ１１の処理によって判定された種別のテープに対する印刷が可能な印刷可能条件を、フラッシュメモリ４０５に記憶された印刷可否情報に基づいて特定する。ＣＰＵ４０１は、フラッシュメモリ４０５に記憶された設定情報によって示される複数の設定内容が印刷可能条件を満たすか判定する。
【００３８】
ＣＰＵ４０１は、上記の（１）（２）の条件が何れも満たされる場合、設定情報に基づいて印刷を行うことが可能と判定する（Ｓ２７：ＹＥＳ）。ＣＰＵ４０１は、ＲＡＭ４０４に記憶された情報によって示されるキャラクタを、フラッシュメモリ４０５に記憶された設定情報に基づいて印刷するための印刷データを作成する（Ｓ２９）。ＣＰＵ４０１は、作成された印刷データを、フラッシュメモリ４０５に記憶する。ＣＰＵ４０１は、フラッシュメモリ４０５に記憶された印刷データに基づいて、駆動回路４０７、４０８を駆動する。これによって、ＣＰＵ４０１は、カバーフィルムに印刷を行う（Ｓ３１）。更に、ＣＰＵ４０１は、カバーフィルムに基材テープを貼付することによって、ラベルを作成する。ＣＰＵ４０１は処理をＳ２１に戻す。
【００３９】
一方、ＣＰＵ４０１は、上記の（１）（２）のうち少なくとも一方の条件が満たされない場合、設定情報に基づいて印刷を行うことが不可能と判定する（Ｓ２７：ＮＯ）。この場合、ＣＰＵ４０１は処理をＳ３３に進める。ＣＰＵ４０１は、印刷を行うことが不可能であることを通知するための通知画像を、表示部４に表示させる（Ｓ３３）。ＣＰＵ４０１は、所定時間（例えば１秒）の経過後、通知画像の表示を停止させ、処理をＳ２１に戻す。この場合、例えば図６に示すように、「印刷できません」の文字列を含む通知画像８５が、編集画面８の編集領域８Ａに表示される。
【００４０】
図３に示すように、ＣＰＵ４０１は、印刷を指示する操作が実行されていないと判定された場合（Ｓ２５：ＮＯ）、処理をＳ３５に進める。ＣＰＵ４０１は、キーボード５の設定キーが押下されることによって設定ウィンドウ９（図８参照、後述）を表示させるための操作が実行されたか判定する（Ｓ３５）。ＣＰＵ４０１は、設定ウィンドウ９を表示させるための操作が実行されたと判定された場合（Ｓ３５：ＹＥＳ）、処理をＳ３７に進める。ＣＰＵ４０１は、設定処理（図７参照）を実行する（Ｓ３７）。
【００４１】
図７を参照し、設定処理について説明する。ＣＰＵ４０１は、編集画面８に設定ウィンドウ９（図８参照）を表示させる（Ｓ５１）。設定ウィンドウ９は、複数の設定項目のうち何れか（以下、「対象設定項目」という。）を選択し、選択された対象設定項目の設定内容を設定することが可能なサブウィンドウである。
【００４２】
図８を参照し、設定ウィンドウ９について説明する。設定ウィンドウ９は吹き出し状である。設定ウィンドウ９は、略矩形状の矩形部分９Ａ、及び、対象設定項目の設定内容を示すアイコン８３に向けて延びる三角形状の対応部分９Ｂを含む。設定ウィンドウ９の矩形部分９Ａは、仕切り線９０によって上下に分割されている。以下、矩形部分９Ａの仕切り線９０によって分割された上下２つの領域のうち、下側の領域を「第１選択領域９０Ａ」といい、上側の領域を「第２選択領域９０Ｂ」という。
【００４３】
第２選択領域９０Ｂには、対象設定項目を示す文字列である対象設定項目９４が表示される。図８の場合、対象設定項目９４として、対象設定項目「書体」を示す文字列「Ｆｏｎｔ」が表示されている。なお、設定キーが押下された直後、対象設定項目は「書体」である。このため、Ｓ５１（図７参照）の処理によって表示される設定ウィンドウ９の対象設定項目９４として、文字列「Ｆｏｎｔ」が表示される。更に、第２選択領域９０Ｂには、対象設定項目９４の右側に選択マーク９５が表示される。選択マーク９５は、右向きの矢印キーを示す。
【００４４】
第１選択領域９０Ａには、対象設定項目の設定内容に関連する第１設定内容９１Ａ及び第２設定内容９１Ｂが表示される。第１設定内容９１Ａは、対象設定項目の設定内容を示す文字列である。第２設定内容９１Ｂは、対象設定項目の設定内容に基づいて表現された文字「Ａ」である。図８の場合、対象設定項目「書体」（対象設定項目９４）の設定内容「Ｈｅｌｓｉｎｋｉ」（第１設定内容９１Ａ）で表現された文字「Ａ」が、第２設定内容９１Ｂとして表示されている。更に、第１選択領域９０Ａには、第１設定内容９１Ａ及び第２設定内容９１Ｂの右側に、上下方向に移動可能なスクロールバー９２が表示される。
【００４５】
対応部分９Ｂは、対象設定項目の設定内容を示すアイコン８３（以下、「対象アイコン８３」という。）と設定ウィンドウ９との対応関係を示す。対応部分９Ｂは、矩形部分９Ａの上端且つ左右略中央から、上側に向けて延びる。図８の場合、設定ウィンドウ９の対応部分９Ｂは、対象設定項目「書体」に対応する対象アイコン８３Ａに向けられている。これによって、対象アイコン８３Ａと設定ウィンドウ９とが対応付けられている。以下、対象設定項目の設定内容を設定するための設定ウィンドウ９を、「対象設定項目に対応する設定ウィンドウ９」と言い換える。
【００４６】
図７に示すように、ＣＰＵ４０１は、Ｓ５１の処理によって設定ウィンドウ９（図８参照）が表示された後、キーボード５のうち選択マーク９５に対応する矢印キーが押下されることによって、対象設定項目を変更する操作が実行されたか判定する（Ｓ５３）。ＣＰＵ４０１は、対象設定項目を変更する操作が実行されたと判定された場合（Ｓ５３：ＹＥＳ）、処理をＳ５５に進める。ＣＰＵ４０１は、押下された矢印キーに応じて、対象設定項目を変更する（Ｓ５５）。ＣＰＵ４０１は、対象設定項目が変更された後、変更後の対象設定項目の設定内容を、フラッシュメモリ４０５に記憶された設定情報に基づいて特定する。ＣＰＵ４０１は、変更後の対象設定項目に対応する設定ウィンドウ９を、編集画面８に表示する（Ｓ５７）。設定ウィンドウ９には、変更後の対象設定項目を示す文字列が、対象設定項目９４として含まれる。又、設定ウィンドウ９には、特定された設定内容を示す文字列が、第１設定内容９１Ａとして含まれる。又、設定ウィンドウ９には、特定された設定内容に基づいて表現された文字「Ａ」が、第２設定内容９１Ｂとして含まれる。
【００４７】
具体的には次の通りである。図８に示す設定ウィンドウ９（対象設定項目「書体」）が表示された場合において、選択マーク９５に対応する右向きの矢印キーが押下された場合を例に挙げる。この場合、ＣＰＵ４０１は、対象設定項目を、対象アイコン８３Ａに対して右側に隣接するアイコン８３Ｂに対応する設定項目「サイズ」に変更する。ＣＰＵ４０１は、変更後の対象設定項目「サイズ」に対応する設定ウィンドウ９を、編集画面８に表示させる。図９に示すように、変更後の対象設定項目「サイズ」に対応する設定ウィンドウ９には、対象設定項目「サイズ」を示す文字列「Ｓｉｚｅ」が、対象設定項目９４として表示される。又、対象設定項目「サイズ」の設定内容「１８ｐｔ」の文字列が、第１設定内容９１Ａとして表示される。又、設定内容「１８ｐｔ」のサイズで表現された文字「Ａ」が、第２設定内容９１Ｂとして表示される。
【００４８】
なお、対象設定項目「サイズ」に対応する対象アイコン８３Ｂの位置は、設定項目「書体」に対応するアイコン８３Ａに対して右側に配置されている。これに伴い、変更後の対象設定項目「サイズ」に対応する設定ウィンドウ９は、変更前の対象設定項目「書体」に対応する設定ウィンドウ９（図８参照）に対して右側に移動した位置に表示される。つまり、設定ウィンドウ９は、左右略中央の対応部分９Ｂが、対象アイコン８３の真下に配置されるように、表示される左右方向の位置が調整される。このため、対象アイコン８３と設定ウィンドウ９の対応部分９Ｂとの間の距離は、対象アイコン８３を除く複数のアイコン８３と設定ウィンドウ９の対応部分９Ｂとの間の距離よりも短くなる。
【００４９】
又、対象設定項目「サイズ」に対応する設定ウィンドウ９の第２選択領域９０Ｂには、設定項目「書体」に対応する設定ウィンドウ９（図８参照）と異なり、対象設定項目９４の右側に加えて左側にも選択マーク９５が表示される。左側の選択マーク９５は、左向きの矢印キーを示す。このため、例えば、対象設定項目「サイズ」に対応する設定ウィンドウ９が表示された状態で、左側の選択マーク９５に対応する左向きの矢印キーが押下された場合、対象設定項目は、対象アイコン８３Ｂに対して左側に隣接するアイコン８３Ａによって示される設定内容の設定項目「書体」に変更される。つまり、選択マーク９５は、ユーザが設定項目を変更するときに押下可能な矢印キーの種別を示している。
【００５０】
図７に示すように、ＣＰＵ４０１は、対象設定項目を変更する操作が実行されていないと判定された場合（Ｓ５３：ＮＯ）、キーボード５の上向き又は下向きの矢印キーが押下されることによって、対象設定項目の設定内容を設定する操作が実行されたか判定する（Ｓ５９）。なお、設定ウィンドウ９の第１選択領域９０Ａには、上下方向に移動可能なスクロールバー９２が表示されている。このため、ユーザは、上向き又は下向きの矢印キーを押下することによって、対象設定項目の設定内容を選択できることを直感的に認識できる。
【００５１】
ＣＰＵ４０１は、対象設定項目の設定内容を設定する操作が実行されたと判定された場合（Ｓ５９：ＹＥＳ）、処理をＳ６１に進める。ＣＰＵ４０１は、フラッシュメモリ４０５に記憶された候補情報に基づき、対象設定項目に対応する複数の設定候補を特定する。ＣＰＵ４０１は、特定された複数の選択候補を、上向き又は下向きの矢印キーの押下に応じて順番に１つずつ選択する（Ｓ６１）。ＣＰＵ４０１は、選択された設定候補が設定内容として示された設定ウィンドウ９を、編集画面８に表示する（Ｓ６３）。設定ウィンドウ９には、選択された設定候補を示す文字列が、第１設定内容９１Ａとして含まれる。又、設定ウィンドウ９には、選択された設定候補に基づいて表現された文字「Ａ」が、第２設定内容９１Ｂとして含まれる。
【００５２】
例えば、図８に示す設定ウィンドウ９（対象設定項目「書体」、設定内容「Ｈｅｌｓｉｎｋｉ」）が編集画面８に表示された場合において、下向きの矢印キーが押下されたとする。この場合、候補情報に基づき、対象設定項目「書体」に対応する複数の設定候補「Ｈｅｌｓｉｎｋｉ」「明朝」が特定される。この場合、設定ウィンドウ９の第１設定内容９１Ａに表示されている「Ｈｅｌｓｉｎｋｉ」を除く「明朝」が、設定候補として選択される。このため、図１０に示すように、表示される設定ウィンドウ９には、選択された設定候補「明朝」を示す文字列が第１設定内容９１Ａとして含まれる。又、選択された設定候補「明朝」に基づいて表現された文字「Ａ」が、第２設定内容９１Ｂとして含まれる。
【００５３】
図７に示すように、ＣＰＵ４０１は、Ｓ６３の処理の終了後、キーボード５の確定キーが押下されたか判定する（Ｓ６５）。ＣＰＵ４０１は、キャンセルキーが押下されたと判定された場合（Ｓ６５：ＮＯ）、Ｓ６１の処理によって選択された設定候補を設定内容として設定することをキャンセルするための操作が実行されたと判定する。この場合、ＣＰＵ４０１は、対象設定項目の設定内容を、フラッシュメモリ４０５に記憶された設定情報に基づいて特定する。ＣＰＵ４０１は、Ｓ６３の処理によって表示された設定ウィンドウ９の第１設定内容９１Ａ及び第２設定内容９１Ｂを、特定された設定内容に基づいて元に戻す。ＣＰＵ４０１は、処理をＳ５３に戻す。
【００５４】
一方、ＣＰＵ４０１は、確定キーが押下されたと判定された場合（Ｓ６５：ＹＥＳ）、Ｓ６１の処理によって選択された設定候補を設定内容として設定することを確定するための操作が実行されたと判定する。この場合、ＣＰＵ４０１は、フラッシュメモリ４０５に記憶された設定情報のうち対象設定項目の設定内容を、Ｓ６１の処理によって選択された選択候補に変更することによって、新たな設定内容を設定する（Ｓ６７）。ＣＰＵ４０１は処理をＳ６９に進める。
【００５５】
ＣＰＵ４０１は、Ｓ１１（図３参照）の処理によって判定された種別のテープに対する印刷が可能な印刷可能条件を、フラッシュメモリ４０５に記憶された印刷可否情報に基づいて特定する。ＣＰＵ４０１は、フラッシュメモリ４０５に記憶された設定情報によって示される複数の設定内容が印刷可能条件を満たすか否かによって、印刷を行うことが可能か判定する（Ｓ６９）。ＣＰＵ４０１は、設定情報によって示される複数の設定内容が全て印刷可能条件を満たす場合、設定情報に基づいて印刷を行うことが可能と判定する（Ｓ６９：ＹＥＳ）。この場合、ＣＰＵ４０１は処理をＳ５３に戻す。ＣＰＵ４０１は、設定情報によって示される複数の設定内容の少なくとも１つが印刷可能条件を満たさない場合、設定情報に基づいて印刷を行うことが不可能と判定する（Ｓ６９：ＮＯ）。この場合、ＣＰＵ４０１は、印刷を行うことが不可能であることを通知するための通知画像８５（図６参照）を、表示部４に表示させる（Ｓ７１）。ＣＰＵ４０１は、所定時間（例えば１秒）の経過後、通知画像の表示を停止させ、処理をＳ５３に戻す。
【００５６】
ＣＰＵ４０１は、対象設定項目の設定内容を設定する操作が実行されていないと判定された場合（Ｓ５９：ＮＯ）、キーボード５の設定キーが再度押下されることによって設定ウィンドウ９の表示を終了させる操作が実行されたか判定する（Ｓ７３）。ＣＰＵ４０１は、設定ウィンドウ９の表示を終了させるための操作が実行されていないと判定された場合（Ｓ７３：ＮＯ）、処理をＳ５３に戻す。一方、ＣＰＵ４０１は、設定ウィンドウ９の表示を終了させるための操作が実行されたと判定された場合（Ｓ７３：ＹＥＳ）、設定ウィンドウ９の表示を終了させる（Ｓ７５）。ＣＰＵ４０１は、設定処理を終了させ、処理をメイン処理（図３参照）に戻す。図３に示すように、ＣＰＵ４０１は、設定処理（Ｓ３７）の処理の終了後、処理をＳ２１に戻す。
【００５７】
ＣＰＵ４０１は、設定ウィンドウ９を表示させるための操作が実行されていないと判定された場合（Ｓ３５：ＮＯ）、処理をＳ３９に進める。ＣＰＵ４０１は、キーボード５の電源キーを押下する操作が実行されたか判定する（Ｓ３９）。ＣＰＵ４０１は、電源キーを押下する操作が実行されていないと判定した場合（Ｓ３９：ＮＯ）、処理をＳ２１に戻す。ＣＰＵ４０１は、電源キーを押下する操作が実行されたと判定した場合（Ｓ３９：ＹＥＳ）、メイン処理を終了させる。
【００５８】
＜本実施形態の主たる作用、効果＞
以上説明したように、印刷装置１のＣＰＵ４０１は、複数の対象項目のそれぞれの設定内容を示す複数のアイコン８３を、編集画面８のガイダンス領域８Ｂに表示する（Ｓ１５）。このため、ユーザは、複数の設定項目のそれぞれの設定内容を、複数のアイコン８３によって容易に認識できる。又、ＣＰＵ４０１は、印刷対象となるキャラクタを示す文字列を、キャラクタ８２として、編集画面８の編集領域８Ａに表示する（Ｓ２３）。ＣＰＵ４０１は、印刷キーが押下された場合（Ｓ２５：ＹＥＳ）、キャラクタ８２によって示される文字列のキャラクタを、テープに印刷できる（Ｓ３１）。
【００５９】
ＣＰＵ４０１は、設定キーが押下された場合（Ｓ３５：ＹＥＳ）、編集画面８に設定ウィンドウ９を表示する（Ｓ５１）。ユーザは、設定ウィンドウ９を介して、対象項目の設定内容を設定できる（Ｓ６７）。ここで、設定ウィンドウ９は、対応部分９Ｂを含む。対応部分９Ｂは、対象アイコン８３と設定ウィンドウ９との対応関係を示す。このためユーザは、対象設定項目の設定内容を、設定ウィンドウ９を介して設定する場合、設定ウィンドウ９と対象アイコン８３とを容易に対応付けて認識できる。
【００６０】
設定ウィンドウ９は、対象アイコン８３の真下に対応部分９Ｂが配置されるように、表示される左右方向の位置が調整される。このため、対象アイコン８３と設定ウィンドウ９の対応部分９Ｂとの間の距離は、対象アイコン８３を除く複数のアイコン８３と設定ウィンドウ９の対応部分９Ｂとの間の距離よりも短い。従って、ユーザは、設定ウィンドウ９と対象アイコン８３とを直感的に対応付けて認識できる。又、設定ウィンドウ９は吹き出し状を有するので、ユーザは、設定ウィンドウ９と対象アイコン８３との対応関係を、対応部分９Ｂに基づいて一見して容易に認識できる。
【００６１】
設定ウィンドウ９は、第１選択領域９０Ａに第１設定内容９１Ａを有する。第１設定内容９１Ａの文字列は、対象設定項目の設定内容を示す。設定ウィンドウ９が表示されている状態で、上向き又は下向きの矢印キーが押下された場合（Ｓ５９：ＹＥＳ）、ＣＰＵ４０１は、対象設定項目についての複数の設定候補を順番に１つずつ選択し（Ｓ６１）、選択された設定候補を示す文字列を第１設定内容９１Ａとして表示する（Ｓ６３）。更に、確定キーが押下された場合（Ｓ６５：ＹＥＳ）、ＣＰＵ４０１は、選択された設定候補を、対象設定項目の設定内容として設定する（Ｓ６７）。この場合、ユーザは、第１設定内容９１Ａに順番に表示される複数の設定候補のうち何れかを選択することによって、設定可能な設定内容を適切に選択し、対象設定項目の設定内容として設定できる。
【００６２】
設定ウィンドウ９は、第２選択領域９０Ｂを有する。第２選択領域９０Ｂには、対象設定項目９４が表示される。設定ウィンドウ９が表示されている状態で、左向き又は右向きの矢印キーが押下された場合（Ｓ５３：ＹＥＳ）、ＣＰＵ４０１は、押下された矢印キーに応じて、対象設定項目を変更する（Ｓ５５）。変更後の対象設定項目を示す文字列は、対象設定項目９４として第２選択領域９０Ｂに表示される（Ｓ５７）。このように、ユーザは、設定ウィンドウ９が表示された状態で左向き又は右向きの矢印キーを押下することに応じて、第２選択領域９０Ｂに表示される対象設定項目９４を切り替え、対象設定項目を変更できる。
【００６３】
ＣＰＵ４０１は、装着されたテープカセット３０に収容されたテープの種別を特定する（Ｓ１１）。ＣＰＵ４０１は、対象設定項目の設定内容が設定された場合（Ｓ６７）、設定された設定内容に基づき、Ｓ１１の処理によって特定された種別のテープに印刷を行うことが可能か判定する（Ｓ６９）。ＣＰＵ４０１は、印刷を行うことが不可能と判定した場合（Ｓ６９：ＮＯ）、通知画像８５を表示部４に表示させる（Ｓ７１）。このため、ユーザは、設定した設定内容が不適切であることを、通知画像８５によって認識できる。
【００６４】
ＣＰＵ４０１は、装着されたテープカセット３０に収容されたテープの種別を特定する（Ｓ１１）。ＣＰＵ４０１は、フラッシュメモリ４０５に記憶された設定情報に基づき、Ｓ１１の処理によって特定された種別のテープに印刷を行うことが可能か判定する（Ｓ１７）。ＣＰＵ４０１は、印刷を行うことが不可能と判定した場合（Ｓ１７：ＮＯ）、印刷可能条件を満たさない設定内容に対応するアイコン８３を、点滅表示させる（Ｓ１９）。例えは、印刷装置１に装着されるテープカセット３０が変更された場合において、フラッシュメモリ４０５に記憶された設定情報に基づいて、変更後のテープカセット３０に収容されたテープに印刷を行うことができない場合がある。このような場合、ユーザは、印刷が不可能な設定内容を、点滅するアイコン８３によって認識できる。
【００６５】
＜変形例＞
【００６６】
本発明は上記実施形態に限定されず、種々の変更が可能である。設定ウィンドウ９の形状は、上記実施形態に限定されない。以下、設定ウィンドウ９の変形例について説明する。
【００６７】
例えば、図１１に示すように、設定ウィンドウ９の対応部分９Ｂは、矩形部分９Ａの左端のうち上端近傍の位置から左側に延びる三角形であってもよい。この場合、対応部分９Ｂは、対象設定項目「書体」に対応する対象アイコン８３Ａに向けられ、且つ、対象アイコン８３Ａの右側に配置されている。これによって、対象アイコン８３Ａと設定ウィンドウ９とが対応付けられていてもよい。この場合、編集画面８のうち設定ウィンドウ９が表示される位置を、上記実施形態の場合よりも上側に配置させることができる。このため、例えば、編集領域８Ａのテープ画像８１を下側に移動させることによって、設定ウィンドウ９とテープ画像８１が重複することを抑制できる。従って、テープ画像８１内のキャラクタ８２が設定ウィンドウ９によって見えなくなることを抑制できる。
【００６８】
又、例えば図１２に示すように、設定ウィンドウ９の対応部分９Ｂは、矩形部分９Ａから対象アイコン８３に向けて延びる矢印であってもよい。図１２の場合、設定ウィンドウ９の矩形部分９Ａは、編集画面の編集領域８Ａのうち右半分の領域に表示されている。又、対応部分９Ｂは、線分９０１とアロー９０２とを有する。線分９０１は、矩形部分９Ａの左端のうち上端近傍の位置から左側に向けて直線状に延び、対象アイコン８３Ａの真下で上側に曲折し、上側に延びる。アロー９０２は、線分９０１の上端に接続されている。この場合、ユーザは、設定ウィンドウ９と対象アイコン８３Ａとの対応関係を、矢印状の対応部分９Ｂによって一見して容易に認識できる。又、設定ウィンドウ９とテープ画像８１が重複する領域を小さくすることができる。従って、テープ画像８１内のキャラクタ８２が設定ウィンドウ９によって見えなくなることを抑制できる。
【００６９】
なお、図１２において、対応部分９Ｂは線分９０１のみ有していてもよい。この場合、対応部分９Ｂはアロー９０２を有していなくてもよい。
【００７０】
又、例えば図１３に示すように、設定ウィンドウ９は対応部分９Ｂを有していなくてもよい。代わりに、対象アイコン８３Ａはハイライト表示させることによって、設定ウィンドウ９と対象アイコン８３Ａとの対応関係を示してもよい。ここで、ハイライト表示とは、アイコン８３の周囲の背景色を反転表示することによって強調した表示方法を示す。この場合、ユーザは、設定ウィンドウ９と対象アイコン８３Ａとの対応関係を一見して容易に認識できる。又、編集画面８に表示される各種画像が、対応部分９Ｂと重複することによって見えなくなることを抑制できる。
【００７１】
上記において、設定ウィンドウ９を含む編集画面８は、印刷装置１の表示部４に表示された。これに対し、設定ウィンドウ９を含む編集画面８は、印刷装置１に接続される外部機器７の表示部に表示されてもよい。外部機器７は、編集画面８の編集領域８Ａにキャラクタ８２として示される文字列の印刷を印刷装置１に実行させるための印刷データを作成してもよい。印刷装置１は、外部インタフェイス４０９を介して外部機器７から取得した印刷データに基づいて印刷を実行してもよい。
【００７２】
上記において、各アイコン８３は、対応する設定項目の設定内容を抽象化して示した絵柄であった。これに対し、各アイコン８３は、対応する設定項目を抽象化して示した図柄であってもよい。この場合、アイコン８３によって設定内容は示されなくてもよい。
【００７３】
上記において、設定ウィンドウ９の第１選択領域９０Ａには第１設定内容９１Ａが表示された。第１設定内容９１Ａは、対象設定項目の設定内容を示していた。これに対し、第１選択領域９０Ａには、第１設定内容９１Ａと共に、選択可能な複数の設定候補が表示されてもよい。例えばユーザは、上方向又は下方向の矢印キーを押下することによって、第１選択領域９０Ａに表示された複数の設定候補のうち何れかを選択できるようにしてもよい。
【００７４】
上記において、設定ウィンドウ９の第２選択領域９０Ｂには、対象設定項目９４が表示された。これに対し、第２選択領域９０Ｂには、対象設定項目９４と共に、選択可能な複数の設定項目が表示されてもよい。例えばユーザは、左方向又は右方向の矢印キーを押下することによって、第２選択領域９０Ｂに表示された複数の設定項目のうち何れかを選択できるようにしてもよい。
【００７５】
上記において、ＣＰＵ４０１は、Ｓ１９の処理によって、印刷可能条件を満たさないと判定された設定内容に対応するアイコン８３を、点滅表示させた。これに対し、ＣＰＵ４０１は、印刷可能条件を満たさないと判定された設定内容を通知する通知画像を、編集画面８に表示させてもよい。ＣＰＵ４０１は、Ｓ３３の処理によって、印刷を行うこと不可能であることを通知するための通知画像を、表示部４に表示させた。これに対し、ＣＰＵ４０１は、印刷可能条件を満たさないと判定された設定内容に対応するアイコン８３を、点滅表示させてもよい。
【００７６】
上記において、複数のアイコン８３によって設定内容が示されない設定項目「文字幅」「文字間」「下線」の設定内容については、複数のアイコン８３に対応付けられない設定ウィンドウを介して設定可能としてもよい。又、このような設定ウィンドウは、設定ウィンドウ９が表示された状態で左方向又は右方向の矢印キーが押下されたときに表示可能としてもよい。例えば、対象設定項目「字揃え」に対応する設定ウィンドウ９が表示された状態で、右方向の矢印キーが押下された場合、「文字幅」「文字間」「下線」の設定内容を設定可能な設定ウィンドウが表示されてもよい。
＜その他＞
【００７７】
Ｓ２３の処理を行うＣＰＵ４０１は、本発明の「第１表示手段」の一例である。Ｓ１５の処理を行うＣＰＵ４０１は、本発明の「第２表示手段」の一例である。Ｓ５１の処理を行うＣＰＵ４０１は、本発明の「第３表示手段」の一例である。Ｓ５９の処理を行うＣＰＵ４０１は、本発明の「受付手段」の一例である。Ｓ６７の処理を行うＣＰＵ４０１は、本発明の「設定手段」の一例である。サーマルヘッド１０、プラテンローラ２３、及び、押圧ローラ２４は、本発明の「印刷部」の一例である。Ｓ１１の処理を行うＣＰＵ４０１は、本発明の「第１判定手段」の一例である。Ｓ６９の処理を行うＣＰＵ４０１は、本発明の「第２判定手段」の一例である。Ｓ７１の処理を行うＣＰＵ４０１は、本発明の「通知手段」の一例である。Ｓ１７の処理を行うＣＰＵ４０１は、本発明の「第３判定手段」の一例である。Ｓ１９の処理を行うＣＰＵ４０１は、本発明の「第４表示手段」の一例である。
【符号の説明】
【００７８】
１        ：印刷装置
４        ：表示部
６        ：センサ
８        ：編集画面
９        ：設定ウィンドウ
９Ｂ      ：対応部分
１０      ：サーマルヘッド
１３      ：カセット装着部
８２      ：キャラクタ
８３      ：アイコン
８５      ：通知画像
９０Ａ    ：第１選択領域
９０Ｂ    ：第２選択領域
４０１    ：ＣＰＵ
【図１】
0006432500.tif 000002
【図２】
0006432500.tif 000003
【図３】
0006432500.tif 000004
【図４】
0006432500.tif 000005
【図５】
0006432500.tif 000006
【図６】
0006432500.tif 000007
【図７】
0006432500.tif 000008
【図８】
0006432500.tif 000009
【図９】
0006432500.tif 000010
【図１０】
0006432500.tif 000011
【図１１】
0006432500.tif 000012
【図１２】
0006432500.tif 000013
【図１３】
0006432500.tif 000014